(57)【要約】【課題】ランドセルが子供の背中から垂れ下がらないように構成するランドセルの背環を提供すること。【解決手段】ランドセルの背環１２は、背環本体１３から上方に突出する揺動可能な一対の揺動板１４と、肩ベルト５の一端を係止する三角環１５とを備えている。三角環１５の軸部を楕円状に形成するとともに、揺動板１４の上部に挿入孔部１４１を楕円状に形成する。そして、三角環１５を揺動板１４の挿入孔部１４１に挿入して、背環１と肩ベルト５とを連結することによって、肩ベルト５をランドセルの前後方向への回動を規制する。【選択図】図３
0003107694.tif 000002
【実用新案登録請求の範囲】
【請求項１】
ランドセルの背あて部の上部に配置されて肩ベルトの一端を支持するランドセルの背環であって、
前記肩ベルトの一端には三角環が装着されるとともに、前記三角環は背環本体に配設された連結部材に連結され、
前記三角環と前記連結部材とはそれぞれ、前記三角環が前記連結部材に対して回動防止される、断面倒れ防止形状を有して連結されていることを特徴とするランドセルの背環。
【請求項２】
前記三角環が有する前記断面倒れ防止形状が、楕円状の断面形状であることを特徴とする請求項１記載のランドセルの背環。
【請求項３】
前記三角環が有する前記断面倒れ防止形状が、矩形状の断面形状であることを特徴とする請求項１記載のランドセルの背環。
【請求項４】
前記連結部材には、前記三角環の一辺を挿通する挿入孔部が形成され、前記挿入孔部が有する前記断面倒れ防止形状が、楕円状の断面形状であることを特徴とする請求項２又は３記載のランドセルの背環。
【請求項５】
前記連結部材には、前記三角環の一辺を挿通する挿入孔部が形成され、前記挿入孔部が有する前記断面倒れ防止形状が、矩形状の断面形状であることを特徴とする請求項２又は３記載のランドセルの背環。
【請求項６】
前記三角環と前記連結部材とがキー部材で連結され、前記断面倒れ防止形状が、前記三角環と前記連結部材とに前記キー部材が挿入するキー溝を有していることを特徴とする請求項１記載のランドセルの背環。
【請求項７】
前記連結部材が前記背環本体の表面方向に沿って揺動可能に配置されていることを特徴とする請求項１乃至請求項６のいずれかに記載のランドセルの背環。
【考案の詳細な説明】
【技術分野】
【０００１】
本考案は、ランドセルの背あて部の上部に配置される背環に関し、さらに、肩ベルトの一端を支持するランドセルの背環に関する。
【背景技術】
【０００２】
子供がランドセルを背負って歩行する際、ランドセルには本やノートの重量で、ランドセルの上部が後方に移動して子供の背中から次第に垂れ下がってくることがあった。垂れ下がったランドセルは、子供の腰部辺りを中心にして後方に移動するから、歩行している子供には負担となり、ランドセルの背負いを嫌がるようになっていた。
【０００３】
これを解決するために、従来では、特許文献１に示すような改良がなされていた。これによると、図１０に示すように、背環４２は、背環本体４３の上部からそれぞれ揺動可能に構成された一対の揺動板４４、４４を挿入している。それぞれの揺動板４４、４４には略三角状の連結環４５、４５が装着され、連結環４５、４５に肩ベルト４６、４６の一端が係止されている。
【０００４】
連結環４５は、揺動板４４との連結部において、揺動板４４の上部に形成された円筒状の挿入部４４１に両側から挿入できるように真円状に形成されるとともに、連結環４５が揺動板４４に対して回動規制されるように構成されている。
【０００５】
つまり、揺動板の４４上部をＬ字状に形成するとともに、連結環４５の連結部をＬ字状に形成された揺動板４４の上部両端で挿入支持することによって、連結環４５の、揺動板４４に対するランドセルの前後方向への回動を規制していた。さらに、連結環４５の肩ベルト係止部４５１側においては、連結環４５の一部を肩ベルト４６側に突出して形成し、肩ベルト４６の端部に鋲留めすることによって、肩ベルト４６の、連結環４５に対するランドセルの前後方向への回動を規制していた。
【０００６】
これによって、肩ベルト４６は、背環４２に対してランドセルの前後方向への回動を規制されることから、ランドセル本体は、常に、子供の背中側に密着することとなって、ランドセルの垂れ下がりを防止することができていた。
【特許文献１】特許第３５２４５４７号公報（２〜３頁、図１参照）
【考案の開示】
【考案が解決しようとする課題】
【０００７】
しかし、特許文献１のランドセルは、ランドセルの垂れ下がりを防止できる構成になっているものの、揺動板４４の上部をＬ字状に形成して、その部位に連結環４５の挿入支持部を形成することからコストがかかることとなっていた。また、連結環４５と肩ベルト４６との連結部位を鋲留めすることから、部品点数の増大と作業時間がかかることとなって、さらにコストの増大となっていた。
【課題を解決するための手段】
【０００８】
本考案は、上述の課題を解決するものであり、廉価なコストで製作できてしかも垂れ下がりのないように構成するランドセルの背環を提供することを目的とするものであり、そのために本考案に係るランドセルの背環は、以下のように構成するものである。すなわち、
請求項１記載の考案では、ランドセルの背あて部の上部に配置されて肩ベルトの一端を支持するランドセルの背環であって、
前記肩ベルトの一端には三角環が装着されるとともに、前記三角環は背環本体に配設された連結部材に連結され、
前記三角環と前記連結部材とはそれぞれ、前記三角環が前記連結部材に対して回動防止される、断面倒れ防止形状を有して連結されていることを特徴とするものである。
【０００９】
請求項２記載の考案では、前記三角環が有する前記断面倒れ防止形状が、楕円状の断面形状であることを特徴としている。
【００１０】
請求項３記載の考案では、前記三角環が有する前記断面倒れ防止形状が、矩形状の断面形状であることを特徴としている。
【００１１】
請求項４記載の考案では、前記連結部材には、前記三角環の一辺を挿通する挿入孔部が形成され、前記挿入孔部が有する前記断面倒れ防止形状が、楕円状の断面形状であることを特徴としている。
【００１２】
請求項５記載の考案では、前記連結部材には、前記三角環の一辺を挿通する挿入孔部が形成され、前記挿入孔部が有する前記断面倒れ防止形状が、矩形状の断面形状であることを特徴としている。
【００１３】
請求項６記載の考案では、前記三角環と前記連結部材とがキー部材で連結され、前記断面倒れ防止形状が、前記三角環と前記連結部材とに前記キー部材が挿入するキー溝を有していることを特徴としている。
【００１４】
請求項７記載の考案では、前記連結部材が前記背環本体の表面方向に沿って揺動可能に配置されていることを特徴としている。
【考案の効果】
【００１５】
本考案に係るランドセルの背環では、請求項１記載の考案によれば、ランドセルの背あて部の上部に配置された背環本体から上方に向かって装着された連結部材と、肩ベルトの一端を支持する三角環とは、三角環が連結部材に対して倒れないように、それぞれ断面倒れ防止形状に形成されている。三角環が連結部材に対して倒れないように支持されていることは、三角環に連結された肩ベルトが倒れないことになり、その結果、ランドセルは子供の背中側に密着して配置されることとなって、後方に倒れて垂れ下がることを防止することができる。しかも、予め所定の断面形状に形成された材料を三角環に形成したり、連結部位の上部に所定の断面形状を製作したりすることは、製作時間を増大するものでないことからコストを高くするものではない。
【００１６】
請求項１の考案による断面倒れ防止形状を、請求項２又は３記載の考案による楕円形状に形成したり、また、請求項４又は５記載の考案による矩形状にしたりすることによって、三角環が連結部材に対して、ランドセルの前後方向への倒れを防止することができる。
【００１７】
さらに、請求項６記載の考案のように、三角環の断面形状が、例えば真円状で、連結部材における三角環の挿入孔部が、例えば真円状であっても、その間にキー結合することによって、三角環と連結部材とは一体的に固定されることとなって、やはり、ランドセルの前後方向への倒れを防止することができる。
【００１８】
請求項７記載の考案によれば、前述の連結部材が、背環本体の表面方向に沿って揺動可能に配置されていれば、身体の大きさ（肩幅）の異なる子供であっても、一対の肩ベルトを子供の肩幅に合わせて自動的に広げたり狭めたりすることができる。
【考案を実施するための最良の形態】
【００１９】
本考案による一形態のランドセルの背環を図面に基づいて説明する。
【００２０】
図１に示すように、ランドセル１は、ランドセル本体１０と一対の肩ベルト５、５を有して構成されている。ランドセル本体１０の背あて部１１の上部には、背環１２が配置され、一対の肩ベルト５、５の一端が装着されている。
【００２１】
背環１２は、図２に示すように、上部に一対の開口部１３１、１３１を有して中空状に形成された背環本体１３と、背環本体１３の各開口部１３１、１３１から背環本体１３内に挿入して配置される連結部材としての一対の揺動板１４、１４と、揺動板１４、１４の上部に係止される三角環１５、１５と、一対の揺動板１４、１４間に装着される吊下環１６とを備えて構成されている。
【００２２】
揺動板１４は、図２に示すように、下部を背環本体１３に軸支して配置され、図示しないばね部材で、一対の揺動板１４、１４がお互いに近づける方向に付勢されている。各揺動板１４の上部には、図３〜４に示すように、三角環１５の軸部を挿入する挿入孔部１４１が形成されている。挿入孔部１４１は縦方向が長尺の楕円状に形成して楕円状孔部を形成している。なお、楕円状孔部とは、対向する長尺方向又は短尺方向の円弧の極率半径の大きさに限定するものではなく、例えば、長尺方向又は短尺方向のうち一方の方向の円弧の曲率半径が略無限、つまり、直線又は略直線に形成する長円状の挿入孔部をも含むものとする。
【００２３】
一方、三角環１５の軸部は、揺動板１４の挿入孔部１４１と略同一の断面楕円状に形成され、揺動板１４の挿入孔部１４１に挿入する一辺（下辺部）の軸部が、両端部の挿入部１５１、１５１を残して開口されている。三角環１５の軸部を揺動板１４の挿入孔部１４１に挿入する際、三角環１５は、揺動板１４の挿入孔部１４１の両側から下辺部を開きながら、挿入孔部１４１に挿入することとなる。
【００２４】
従って、揺動板１４と三角環１５とは、お互いに楕円状の連結部位で係合することとなるから、三角環１５は、ランドセル１に対する前後方向（図３における左右方向）への回動が規制されることとなる。この場合、三角環１５の軸部に形成された楕円形状と揺動板１４の挿入孔部１４１の楕円形状とは、僅かな隙間できつく嵌合されていてもよく、また大きな隙間を有して緩く嵌合されていてもよい。さらに、楕円状の三角環１５の軸部に対して、揺動板１４Ｂの挿入孔部１４１は矩形状であってもよい。
【００２５】
そのため、揺動板１４は、子供がランドセル１を背負う際には、子供の肩幅に合わせて左右方向に広がるとともに、肩ベルト５の前方方向の倒れを規制することとなる。
【００２６】
三角環１５の軸部の断面形状と、揺動板１４の挿入孔部１４１における断面形状は、ランドセル１の前後方向への回動を規制するものであれば、上記に限らず、別の形状をなすものであってもよい。
【００２７】
例えば、図５に示す三角環１５Ａの軸部の断面形状は、真円状でキー溝１５２を形成している。この三角環１５Ａの軸部に係合する揺動板１４Ａの挿入孔部１４１Ａも真円状でキー溝１４２を形成している。そして、三角環１５Ａのキー溝１５２と、揺動板１４Ａの挿入孔部１４１Ａとにはキー部材１７が挿入される。なお、いずれのキー溝１４２，１５２も、対向する周縁部に形成してもよく、一方の周縁部だけに形成してもよい。
【００２８】
また、図６に示す三角環１５Ｂの軸部の断面形状は、矩形状を形成している。この三角環１５Ｂの軸部に係合する揺動板１４Ｂの挿入孔部１４１Ｂも矩形状を形成している。なお、矩形状とは、縦方向または横方向のいずれが長尺に形成しても構わなく、また、勿論、正方形も含むものである。さらに、矩形状以外に、四角形を除く多角形であってもよい。
【００２９】
この場合においても、三角環１５の軸部に形成された矩形状と揺動板１４の挿入孔部１４１の矩形状とは、僅かな隙間できつく嵌合されていてもよく、また大きな隙間を有して緩く嵌合されていてもよい。さらに、矩形状の三角環１５の軸部に対して、揺動板１４Ｂの挿入孔部１４１は楕円状であってもよい。
【００３０】
図７に示す三角環１５Ｃの軸部の断面形状は、図６に示す三角環１５Ｂの矩形状から長辺軸部の中央部に凹部１５３を形成している。なお、凹部１５３を短辺軸部の中央部に形成してもよい。凹部１５３の形状は、半円状でも、矩形状でもよく、また三角状でもよい。さらに、多数の歯部を有する歯状に形成されてもよい。この三角環１５Ｃの軸部に係合する揺動板１４Ｃの挿入孔部１４１Ｃは、図６に示す揺動板１４Ｂの挿入孔部１４１Ｂと同様、矩形状を形成している。
【００３１】
三角環１５における揺動板１４の連結部以外の一方の一辺の軸部には、肩ベルト５の一端が係止されている（図２参照）。肩ベルト５の一端は、三角環１５の軸部に直接係止するか、又は図２に示すように、三角環１５の軸部の断面形状に合わせた形状の筒状部材を介して装着されている。三角環１５の軸部の断面形状は、全周にわたって同一形状に形成されていることから、肩ベルト５が、三角環１５に対して回動規制されていることとなって、ランドセル１の前後方向に回動する虞れはない。
【００３２】
図８は、別の形態の背環２２を示すものである。背環２２は、ランドセル１（図１参照）の背あて部１１の上部に配置され、背あて部１１に固着して横方向に長尺に形成された背環本体２３と、背環本体２３の横方向に配置する一対の連結部材２４と、一対の連結部材２４に連結する三角環２５とを備えている。一対の連結部材２４は、背環本体２３から子供の背中側に向かって突出して背環本体２３と一体的に形成されるとともに、三角環２５の軸部を挿入する挿入孔部２４１を有している。三角環２５の連結部と連結する別の一辺の軸部には、肩ベルト５の一端が係止されている。さらに、背環本体２３の中央部には、上方から挿入される吊下環２６が配置されている。
【００３３】
この形態の背環２２においても、三角環２５の軸部と、連結部材２４の挿入孔部２４１とは、図３に示す楕円状、図５に示すキー溝を有する真円状、図６に示す矩形状、あるいは、図７に示すように、矩形状軸部に凹部を形成した三角環を適用することができる。
【００３４】
次に、背環１２を有するランドセル１の作用について説明する。
【００３５】
ランドセル１を背負わない自然状態では、背環１２の揺動板１４は、背環１２内に配置されているばね部材の付勢力によって、一対の揺動板１４、１４が最接近した状態にある。
【００３６】
成長した子供がランドセル１を背負うと、揺動板１４は、お互いに離れる方向に広がるとともに、図９に示すように、ランドセル１が子供の背中に接近した状態に配置されている。ランドセル１を背負った子供の歩行中、肩ベルト５は、振動で揺られて子供の肩を前後方向に摺動しようとする。
【００３７】
一方、肩ベルト５の一端を係止する三角環１５は、揺動板１４に対してランドセル１の前後方向に対して回動を規制されていることから、揺動板１４と三角環１５とは、背環本体１３に対して上方に突出して固定した状態となっている。
【００３８】
従って、ランドセル本体１０は、上部を後方に移動することができず、垂れ下がらない。そのため、ランドセル１は子供の背中に密着した状態で子供に背負われていることとなる。
【００３９】
上述のように、実施形態のランドセル１の背環１２では、肩ベルト５の一端を係止する三角環１５が、背環本体１３から上方に向かって装着された揺動板１４（又は連結部材２４）に、ランドセル１の前後方向に対して回動規制して連結されている。
【００４０】
つまり、三角環１５の軸部の断面形状及び軸部に係合する揺動板１４（又は連結部材２４）の挿入孔部１４１（又は２４１）が、それぞれ、楕円状や矩形状であったり、また、矩形状の一部に凹部を形成したものであったり、さらには、キー結合された真円状であったりしている。そのため、三角環１５の軸部は、挿入した揺動板１４（又は連結部材２４）の挿入孔部１４１（又は２４１）内で回動することはできない。三角環１５が回動できないことから、ランドセル本体１０は、子供の背中に対して後方に移動することができず、垂れ下がりもなくなる。
【００４１】
従って、子供は歩行中であっても気楽にランドセル１を背負うことができる。
【００４２】
なお、上述した三角環１５は、揺動板１４の挿入孔部１４１、又は連結部材２４の挿入孔部２４１に係合する一辺の軸部だけが、上述した各形態の倒れ防止形状であって、その他の二辺の軸部は真円状であってもよい。
【図面の簡単な説明】
【００４３】
【図１】本考案による一形態のランドセルを示す斜視図である。
【図２】図１のランドセルにおける背環を示す正面図である。
【図３】図１のランドセルの背環における三角環と揺動板との連結部位を示す一部断面図である。
【図４】同分解斜視図である。
【図５】図１のランドセルの背環における別の形態の三角環と揺動板との連結部位を示す一部断面図である。
【図６】図１のランドセルの背環における別の形態の三角環と揺動板との連結部位を示す一部断面図である。
【図７】図１のランドセルの背環におけるさらに別の形態の三角環と揺動板との連結部位を示す一部断面図である。
【図８】別の形態の背環であって三角環との連結部位を示す斜視図である。
【図９】子供がランドセルを背負った状態を示す側面図である。
【図１０】従来のランドセルの背環を示す背面図である。
【符号の説明】
【００４４】
１、ランドセル
５、肩ベルト
１０、ランドセル本体
１１、背あて部
１２、背環
１３、背環本体
１４、揺動板
１４１、挿入孔部
１５、三角環
２４、連結部材
２５、三角環
【図１】
0003107694.tif 000003
【図２】
0003107694.tif 000004
【図３】
0003107694.tif 000005
【図４】
0003107694.tif 000006
【図５】
0003107694.tif 000007
【図６】
0003107694.tif 000008
【図７】
0003107694.tif 000009
【図８】
0003107694.tif 000010
【図９】
0003107694.tif 000011
【図１０】
0003107694.tif 000012